(57)【要約】【課題】  買い物中キャリーカートに乗せて食品を連続的に冷蔵保存し運搬する手押しの運搬車の実現ができなかった。本発明は、冷蔵保存を可能とし、ＬＥＤランプで夜間時の安全性を改善した冷蔵保存買い物キャリーカートを提供する。【解決手段】太陽光パネルとキャリーボックスの台座に取付けた車輪の一部に回転して発電するダイナモと蓄電池を併用してファンとモータで送風及び電子冷却素子で保蔵袋を随時冷却することを特徴とする冷蔵保存キャリーカート。【選択図】図１
2018040558.tif 000002
【特許請求の範囲】
【請求項１】
太陽光パネルをおもて面に裏面にＬＥＤランプを設け、氷片など入る保存袋の外側を第１フィルタで包囲して氷片を詰めた保存容器の右側に放熱孔を設け、保存容器の左側にファンとモータを直結し第２フィルタとダクトからの吸気を蓄電器でファンのモータで回転させ送風して氷片が溶けることを防ぎ、内蓋を保存容器の右側の内蓋支えねじで自在に開閉させ保存容器の底部分に電子冷却素子を配置させたキャリーボックスの台座部分に４個の車輪を設け、キャリーハンドル側の２個の車輪により発電する交流ダイナモと太陽光パネルからの電力で冷蔵する冷蔵保存買い物キャリーカート。
【請求項２】
交流ダイナモから整流器に接続して、直流に変換後蓄電器に蓄電、同時に太陽光パネルから同蓄電器に接続し蓄電、スイッチでリレーをオンオフしてモータと電子冷却素子に供給、光センサでＬＥＤ点灯回路を制御してＬＥＤランプを点灯させ同時に給電端子に出力させる電気回路部を付属させた請求項１記載の冷蔵保存買い物キャリーカート。
【請求項３】
キャリーボックスの車輪と同軸にリムを設け、ベルトをかけて交流ダイナモと直結した請求項１及び請求項２記載の冷蔵保存買い物キャリーカート。
【請求項４】
キャリーハンドルの取手部分に蓄熱シートを巻き付けた冷蔵保存買い物キャリーカート。
【発明の詳細な説明】
【技術分野】
【０００１】  本発明は、太陽光で発電する冷却保存しながら運搬できる冷蔵保存買い物キャリーカートに関するものである。
【背景技術】
【０００２】  従来の買い物キャリーカートは、取手の長さを延長できるものはあった。
【発明の概要】
【発明が解決しようとする課題】
【０００３】  買い物キャリーカートで食品などを運搬するのに長時間、冷蔵保存は無理があった。
【課題を解決するための手段】
【０００４】  キャリーハンドルに設けた太陽光発電パネルとキャリーボックスの車輪に取付けた発電器で氷片を封じた保存袋の下部に設けた電子冷却素子に給電し、同時にファンモータを回転させ、保存袋の氷片を溶かさず食品を常に冷蔵保存する。
【発明の効果】
【０００５】  保存袋と氷片に電子冷却素子に給電する車輪に設けた発電器とキャリーハンドルに設けた太陽光パネルで保存袋の氷片が溶けると同時に電子冷却素子で冷却し、同時にファンモータで送風、保存袋内の食品を保存運搬できるので長時間食品の鮮度を保持できる。
【図面の簡単な説明】
【０００６】
【図１】本発明の構成を示す図
【図２】本発明のキャリーボックスの詳細図
【図３】本発明の電気回路構成図
【図４】本発明の使用状態を示す図
【発明を実施するための形態】
【０００７】  以下、本発明の実施の形態を図１から図４を使って説明する。
（イ）図１は、本発明の構成を示す図である。
（ロ）太陽光パネル（１）をキャリーハンドル（６）の上面のおもて面に設け、裏面にＬＥＤランプ（２）を取り付ける。電気回路部（３）は、キャリーハンドル（６）に内蔵されている。給電端子（４）と取手（５）で構成するキャリーハンドル（６）を支えねじ（７）でキャリーボックス（８）の上面の左側に取り付ける。
（ハ）図２に示す通り、キャリーボックス（８）は、保存容器（９）の下方部分に電子冷却素子（１４）が配置してありキャリーハンドル（６）が付いている側のキャリーボックス（８）の底部分に４個の車輪（１０）が右側の２個の車輪（１０）にリム（１１）がダイナモ（１２）にベルト（１３）で直結している。キャリーボックス（８）の上面に開閉自在な蓋（１５）が取り付けてある。
（ニ）食品などを入れる保存袋（２５）に第１フイルタ（２６）を外側に設けた保存容器（９）に内蓋（３０）を内蓋支えねじ（３１）で右側の一方を止め自在に開閉できるようにする。
（ホ）保存容器（９）の片方の側面に放熱孔（１６）を開けて反対方向にファン（１７）とモータ（１８）を取り付ける。と電子冷却素子（１４）は、保存容器（９）の下部にダクト（２７）と第２フィルタ（２８）と通気口（２９）を設ける。
（ヘ）図３は電気回路の構成を示す図である。
太陽光パネル（１）から蓄電池（１９）に蓄電しダイナモ（１２）に整流器（２０）を接続して直流を蓄電池（１９）に加える。
する。ダイナモ（１２）は、交流発電するものを使用する。蓄電池（１９）の出力はリレー（２１）をスイッチ（２２）でオンオフし、モータ（１８）と電子冷却素子（１４）とＬＥＤ点灯回路（２４）と給電端子（３）に電力を供給する。
（ト）ＬＥＤランプ（２）に光センサ（２３）とＬＥＤ点灯回路（２４）が接続されている。スイッチ（２２）は取手（５）に光センサ（２３）に位置に取付ける。
（チ）キャリーボックス（８）の側面に傘収納袋（３２）を設け、キャリーハンドル（６）の取手（５）に蓄熱シート（３３）が巻いてある。
てある。
本発明は以上のような構成である。
【０００８】  次に本発明の使い方について説明する。
普段は、キャリーボックス（８）に蓋（１５）をして閉じて置く。キャリーハンドル（６）は倒しておいて太陽光パネル（１）に光が当たるようにしておく。
蓋（１５）を開いて保存容器（９）に氷片を入れた後、保存袋（２５）に食材を入れ、内蓋（３０）を閉じる。キャリーハンドル（６）を支えねじ（７）を中心に回転させ、キャリーハンドル（６）を引っ張り、車輪（１０）を回転させると、ダイナモ（１２）は交流を発電して整流器（２０）で直流に変換、蓄電池（１９）に給電し蓄電池（１９）は、蓄電する。
【０００９】  電子冷却素子（１４）と直結したモータ（１８）に直結したファン（１７）の風で保存袋（２５）の外側の氷片を冷却し食材を冷蔵保存する。
外熱で氷片は溶けるが電子冷却素子（１４）とファン（１７）の送風効果で食材の保存を維持することができる。
スイッチ（２２）で電子冷却素子（１４）とモータ（１８）の給電をオンオフできる。ＬＥＤランプ（２）は、光センサ（２３）でＬＥＤ点灯回路（２４）をオンオフすることで夜間自動的に点灯する。
【００１０】  図４は、本発明の使用例を示す図である。キュリーハンドル（６）側の取手（５）を持ち太陽光パネル（１）を太陽光に当たるように本体を運ぶ。
給電端子（４）から携帯電話などを充電できる。取手（５）に巻き付いてある、蓄熱シート（３３）で手を温めて運ぶことができる。
【符号の説明】
【００１１】  １  太陽光パネル
２  ＬＥＤランプ
３  電気回路部
４  給電端子
５  取手
６  キャリーハンドル
７  支えねじ
８  キャリーボックス
９  保存容器
１０  車輪
１１  リム
１２  ダイナモ
１３  ベルト
１４  電子冷却素子
１５  蓋
１６  放熱孔
１７  ファン
１８  モータ
１９  蓄電池
２０  整流器
２１  リレー
２２  スイッチ
２３  光センサ
２４  ＬＥＤ点灯回路
２５  保存袋
２６  第１フィルタ
２７  ダクト
２８  第２フィルタ
２９  通気口
３０  内蓋
３１  蓋支えねじ
３２  傘収納袋
３３  蓄熱シート
【図１】
2018040558.tif 000003
【図２】
2018040558.tif 000004
【図３】
2018040558.tif 000005
【図４】
2018040558.tif 000006